【手続補正書】
【提出日】平成25年10月16日(2013.10.16)
【手続補正１】
【補正対象書類名】特許請求の範囲
【補正対象項目名】全文
【補正方法】変更
【補正の内容】
【特許請求の範囲】
【請求項１】
印刷装置のカートリッジ装着部に着脱可能に装着され、
前記カートリッジ装着部には、複数のカートリッジを装着可能に各カートリッジに対応して、印刷材供給管、装置側端子、レバー、第１の装置側係止部および第２の装置側係止部がそれぞれ設けられており、
前記印刷材供給管は、前記カートリッジに接続する先端部を有し、
前記印刷材供給管の中心軸Ｃと平行な軸をＺ軸、前記印刷材供給管と前記装置側端子とが配列される方向かつ前記Ｚ軸と直交する方向をＸ軸、前記Ｚ軸および前記Ｘ軸と直交する軸をＹ軸とし、前記印刷材供給管の基端部から前記先端部に向かって＋Ｚ軸方向、逆を−Ｚ軸方向とし、前記印刷材供給管から前記装置側端子側に向かって＋Ｘ軸方向、逆を−Ｘ軸方向としたとき、
前記装置側端子は、前記カートリッジに対して接触する装置側接触部を有し、前記装置側接触部よりも＋Ｚ軸方向側かつ＋Ｘ軸方向側を回転中心として弾性変形して、前記＋Ｚ軸方向の成分を含む付勢力を前記カートリッジに付与しつつ接触することによって、前記カートリッジと電気的に接続可能に構成されており、
前記第１の装置側係止部は、前記装置側端子よりも前記＋Ｚ軸方向側かつ前記＋Ｘ軸方向側で前記カートリッジを係止可能に前記レバーの一部として構成されており、
前記第２の装置側係止部は、前記印刷材供給管よりも前記＋Ｚ軸方向側かつ前記−Ｘ軸方向側で前記カートリッジを係止可能に構成されており、
前記レバーは、前記第１の装置側係止部が前記カートリッジを係止する係止位置よりも前記＋Ｚ軸方向側かつ前記＋Ｘ軸方向側を回動中心として、前記係止位置から前記＋Ｘ軸方向に前記第１の装置側係止部が移動するように回動することによって、前記第１の装置側係止部による前記カートリッジの係止および係止解除を可能に構成されている、カートリッジであって、
前記カートリッジ装着部に装着された状態にある前記カートリッジに対する前記Ｘ軸、前記Ｙ軸および前記Ｚ軸を、前記カートリッジ上の軸としたとき、
前記Ｚ軸方向において対向する２つの面であって、前記−Ｚ軸方向側に位置する第１面および前記＋Ｚ軸方向側に位置する第２面と、
前記第１面および第２面と交わり、前記Ｘ軸方向において対向する２つの面であって、前記＋Ｘ軸方向側に位置する第３面および前記−Ｘ軸方向側に位置する第４面と、
前記第１乃至第４面と交わり、前記Ｙ軸方向において対抗する２つの面であって、＋Ｙ軸方向側に位置する第５面および−Ｙ軸方向側に位置する第６面と、
前記第１面と前記第３面とを繋ぐコーナー部に設けられ、前記−Ｚ軸方向および前記＋Ｘ軸方向を向いて傾斜する斜面と、
前記第１面に設けられ、前記印刷材供給管と接続可能に構成されている印刷材供給口と、
前記斜面に設けられており、前記カートリッジが前記カートリッジ装着部に装着された状態において、前記＋Ｚ軸方向の成分を含む付勢力を前記装置側端子から受けつつ前記装置側端子と接触することによって前記装置側端子と電気的に接続されるカートリッジ側端子と、
前記第３面に設けられた第１のカートリッジ側係止部と、
前記第４面に設けられた第２のカートリッジ側係止部と
を備え、
前記第１のカートリッジ側係止部は、前記＋Ｚ軸方向を向いた第１係止面を有し、前記第１係止面は、前記カートリッジが前記カートリッジ装着部に装着された状態において、前記第１の装置側係止部に係止され、
前記第２のカートリッジ側係止部は、前記＋Ｚ軸方向を向いた第２係止面を有し、前記第２係止面は、前記カートリッジが前記カートリッジ装着部に装着された状態において、前記第２の装置側係止部に係止され、
前記カートリッジ側端子は、前記カートリッジが前記カートリッジ装着部に装着された状態において、前記装置側端子に対して接触するカートリッジ側接触部を有し、
前記カートリッジ側接触部は、前記第２係止面よりも前記−Ｚ軸方向側に設けられている、カートリッジ。
【請求項２】
請求項１に記載のカートリッジであって、
前記第２のカートリッジ側係止部は、前記カートリッジ装着部に対する前記カートリッジの着脱時に前記第２の装置側係止部と係合することによって前記カートリッジ装着部に対する前記カートリッジの回転支点として機能するように構成されている、カートリッジ。
【請求項３】
前記第１係止面は前記第２係止面よりも前記−Ｚ軸方向側に設けられている、請求項１または請求項２に記載のカートリッジ。
【請求項４】
前記第１係止面および前記第２係止面は、前記カートリッジの前記Ｙ軸に沿った方向の幅の中央を通り前記Ｚ軸および前記Ｘ軸に平行な平面と交わる位置に設けられている、請求項１ないし請求項３のいずれか一項に記載のカートリッジ。
【請求項５】
請求項１ないし請求項４のいずれか一項に記載のカートリッジであって、
前記第１のカートリッジ側係止部は、更に、前記＋Ｘ軸方向を向いた第３係止面を有し、前記第３係止面は、前記カートリッジが前記カートリッジ装着部に装着された状態において、前記第１の装置側係止部に係止される、カートリッジ。
【請求項６】
前記印刷材供給口は、前記第３面よりも前記第４面に近い位置に設けられている、請求項１ないし請求項５のいずれか一項に記載のカートリッジ。
【請求項７】
請求項１ないし請求項６のいずれか一項に記載のカートリッジであって、
前記第５面および前記第６面は、前記カートリッジ装着部に係合可能に構成されている一対の側面を有する、カートリッジ。
【請求項８】
請求項１ないし請求項７のいずれか一項に記載のカートリッジであって、更に、
前記第１面と前記第３面との間に設けられ、前記第１面から前記＋Ｚ軸方向側に延びるように形成された第７面と、
前記第１面と前記第３面との間に設けられ、前記第７面および前記第３面と繋がる第８面と
を備え、
前記斜面は前記第８面に設けられている、カートリッジ。
【請求項９】
請求項８に記載のカートリッジであって、
更に、前記第７面の前記＋Ｙ軸方向および前記−Ｙ軸方向の側部にそれぞれ突設されており、前記Ｙ軸方向において対峙する一対の突出部を備え、
前記一対の突出部は、前記カートリッジ装着部に設けられた嵌合部と係合可能に構成されている、カートリッジ。
【請求項１０】
請求項１ないし請求項９のいずれか一項に記載のカートリッジであって、
前記カートリッジ側端子および前記装置側端子はそれぞれ複数であり、前記複数のカートリッジ側端子は、複数の装置側端子の各々に対応して配置されており、
前記複数のカートリッジ側端子の各カートリッジ側接触部は、前記第２係止面よりも前記−Ｚ軸方向側に設けられている、カートリッジ。
【請求項１１】
請求項１０に記載のカートリッジであって、
前記複数のカートリッジ側端子の１つは、前記複数の装置側端子のうち接地ラインに接続される装置側接地端子と電気的に接続可能に構成されたカートリッジ側接地端子であり、
前記カートリッジ側接地端子は、前記カートリッジの前記Ｙ軸に沿った方向の幅の中央に設けられており、前記カートリッジが前記カートリッジ装着部に装着される際、前記複数のカートリッジ側端子における他のカートリッジ側端子による前記装置側端子との接触に先立って前記装置側接地端子に接触するように構成されている、カートリッジ。
【請求項１２】
印刷材供給システムであって、
カートリッジ装着部を有する印刷装置と、
前記カートリッジ装着部に着脱可能に装着された請求項１ないし請求項１１のいずれか一項に記載のカートリッジと
を備え、
前記カートリッジ装着部には、複数の前記カートリッジを装着可能に各カートリッジに対応して、印刷材供給管、装置側端子、レバー、第１の装置側係止部および第２の装置側係止部がそれぞれ設けられており、
前記印刷材供給管は、前記カートリッジに接続する先端部を有し、
前記印刷材供給管の中心軸Ｃと平行な軸をＺ軸、前記印刷材供給管と前記装置側端子とが配列される方向かつ前記Ｚ軸と直交する方向をＸ軸、前記Ｚ軸および前記Ｘ軸と直交する軸をＹ軸とし、前記印刷材供給管の基端部から前記先端部に向かって＋Ｚ軸方向、逆を−Ｚ軸方向とし、前記印刷材供給管から前記装置側端子側に向かって＋Ｘ軸方向、逆を−Ｘ軸方向としたとき、
前記装置側端子は、前記カートリッジに対して接触する装置側接触部を有し、前記装置側接触部よりも＋Ｚ軸方向側かつ＋Ｘ軸方向側を回転中心として弾性変形して、前記＋Ｚ軸方向の成分を含む付勢力を前記カートリッジに付与しつつ接触することによって前記カートリッジと電気的に接続可能に構成されており、
前記第１の装置側係止部は、前記装置側端子よりも前記＋Ｚ軸方向側かつ前記＋Ｘ軸方向側で前記カートリッジを係止可能に前記レバーの一部として構成されており、
前記第２の装置側係止部は、前記印刷材供給管よりも前記＋Ｚ軸方向側かつ前記−Ｘ軸方向側で前記カートリッジを係止可能に構成されており、
前記レバーは、前記第１の装置側係止部が前記カートリッジを係止する係止位置よりも前記＋Ｚ軸方向側かつ前記＋Ｘ軸方向側を回動中心として、前記係止位置から前記＋Ｘ軸方向に前記第１の装置側係止部が移動するように回動することによって、前記第１の装置側係止部による前記カートリッジの係止および係止解除を可能に構成されている、印刷材供給システム。